(57)【要約】【課題】本発明は、実装基板との接続安定性を向上させることができる抵抗器を提供することを目的とするものである。【解決手段】本発明の抵抗器は、ケース１１に充填した絶縁材内に埋設された抵抗体１４とこの抵抗体１４の両端部に接続された一対の端子１５とからなり、かつその先端部１６ａが前記ケース１１に設けた第１、第２の切欠部１２ａ，１２ｂからケース１１の外側に引き出された素体１６を備え、前記一対の端子１５とは別個に、一端部１７ａが前記絶縁材に埋設されるとともに他端部１７ｂが前記ケース１１に設けた第３の切欠部１２ｃからケース１１の外側に引き出され、かつ前記素体１６と電気的に接続されないダミー端子１７を設け、さらに前記第３の切欠部１２ｃの底面と前記第１、第２の切欠部１２ａ，１２ｂの底面とが面一とならないように構成したものである。【選択図】図２
2009231306.tif 000002
【特許請求の範囲】
【請求項１】
上面が開口し、かつ第１〜第４の側壁を有する略直方体のケースと、前記第１の側壁に設けられた第１〜第３の切欠部と、前記ケースに充填された絶縁材と、この絶縁材内に埋設された抵抗体と、この抵抗体の両端部に接続された一対の端子と、前記抵抗体および一対の端子からなり、かつその先端部が前記第１、第２の切欠部から前記ケースの外側に引き出された素体とを備え、一端部が前記絶縁材に埋設されるとともに他端部が前記第３の切欠部から前記ケースの外側に引き出され、かつ前記素体とは電気的に接続されないダミー端子を設け、さらに前記第３の切欠部の底面と前記第１、第２の切欠部の底面とが面一とならないように構成した抵抗器。
【請求項２】
ケースの底面から上方に突出する突出部を設けるとともに、この突出部の上面に穴を形成し、かつこの穴にダミー端子の一端部を挿入し、さらに第３の切欠部の底面の位置を第１、第２の切欠部の底面の位置より高くした請求項１記載の抵抗器。
【請求項３】
素体とダミー端子との間に絶縁板を設けた請求項２記載の抵抗器。
【請求項４】
素体の上方に位置する絶縁板の一部にスリットを設けた請求項３記載の抵抗器。
【請求項５】
突出部に凸部を設け、かつこの凸部に穴を形成した請求項３記載の抵抗器。
【請求項６】
ダミー端子の一端部を折り曲げ、かつこの折り曲げた部分を第１の側壁の内側に接触させた請求項１記載の抵抗器。
【請求項７】
ダミー端子を板状に構成し、かつこのダミー端子の側面が上方を向くようにした請求項６記載の抵抗器。
【発明の詳細な説明】
【技術分野】
【０００１】
本発明は、デジタル機器、ＡＶ機器、情報通信端末、エアコン、冷蔵庫等の各種電子機器に使用される抵抗器に関するものである。
【背景技術】
【０００２】
従来のこの種の抵抗器は、図１３に示すように、上面１ａが開口し、かつ４つの側壁のうち、１つの側壁１ｂに切欠部２を設けたケース１と、このケース１に充填された絶縁材３と、この絶縁材３内に埋設された抵抗体（図示せず）と、この抵抗体の両端部に接続され、かつその先端部がケース１の切欠部２からケース１の外側に引き出された一対の端子４とを備えた構成となっていた。
【０００３】
なお、この出願の発明に関連する先行技術文献情報としては、例えば、特許文献１が知られている。
【特許文献１】実開平３−３０４０１号公報
【発明の開示】
【発明が解決しようとする課題】
【０００４】
上記した従来の抵抗器においては、実装基板に実装したとき、抵抗器が一対の端子４の２点で支持されることになるため、この２点を結ぶ直線と平行な方向（図１３の矢印の方向）の振動には強いが、２点を結ぶ直線と垂直な方向（紙面と垂直な方向）の振動には弱く、これにより、ケース１が横転する可能性が高まって、実装基板との接続安定性が悪化するという課題を有していた。
【０００５】
本発明は上記従来の課題を解決するもので、実装基板との接続安定性を向上させることができる抵抗器を提供することを目的とするものである。
【課題を解決するための手段】
【０００６】
上記目的を達成するために、本発明は以下の構成を有するものである。
【０００７】
本発明の請求項１に記載の発明は、上面が開口し、かつ第１〜第４の側壁を有する略直方体のケースと、前記第１の側壁に設けられた第１〜第３の切欠部と、前記ケースに充填された絶縁材と、この絶縁材内に埋設された抵抗体と、この抵抗体の両端部に接続された一対の端子と、前記抵抗体および一対の端子からなり、かつその先端部が前記第１、第２の切欠部から前記ケースの外側に引き出された素体とを備え、一端部が前記絶縁材に埋設されるとともに他端部が前記第３の切欠部から前記ケースの外側に引き出され、かつ前記素体とは電気的に接続されないダミー端子を設け、さらに前記第３の切欠部の底面と前記第１、第２の切欠部の底面とが面一とならないように構成したもので、この構成によれば、実装基板に実装されたとき抵抗器は素体の先端部とダミー端子の他端部の３点で支持されることになり、さらに、ダミー端子の他端部が引き出された第３の切欠部の底面と、素体の先端部が引き出された第１、第２の切欠部の底面とが面一とならないように構成しているため、これら３点を結ぶ線は直線状とならず、これにより、素体の先端部が引き出された２点を結ぶ直線と平行な方向の振動だけでなく、垂直な方向の振動にも強くなるため、ケースの横転を防ぐことができるという作用効果が得られるものである。
【０００８】
本発明の請求項２に記載の発明は、特に、ケースの底面から上方に突出する突出部を設けるとともに、この突出部の上面に穴を形成し、かつこの穴にダミー端子の一端部を挿入し、さらに第３の切欠部の底面の位置を第１、第２の切欠部の底面の位置より高くしたもので、この構成によれば、ダミー端子の引っ張り強度を強くすることができるため、ダミー端子の抜け不良を低減させることができるという作用効果が得られるものである。
【０００９】
本発明の請求項３に記載の発明は、特に、素体とダミー端子との間に絶縁板を設けたもので、この構成によれば、素体とダミー端子とを確実に絶縁することができるという作用効果が得られるものである。
【００１０】
本発明の請求項４に記載の発明は、特に、素体の上方に位置する絶縁板の一部にスリットを設けたもので、この構成によれば、絶縁材をケースに充填した際には空気がこのスリットを通じて抜け易くなるため、絶縁材が素体の周囲に回り込むことになり、これにより、抵抗体で発生した熱はこの絶縁材を介して効率よく放熱させることができるという作用効果が得られるものである。
【００１１】
本発明の請求項５に記載の発明は、特に、突出部に凸部を設け、かつこの凸部に穴を形成したもので、この構成によれば、絶縁板の位置決めが容易になるという作用効果が得られるものである。
【００１２】
本発明の請求項６に記載の発明は、特に、ダミー端子の一端部を折り曲げ、かつこの折り曲げた部分を第１の側壁の内側に接触させたもので、この構成によれば、突出部や穴を設けることなく容易にケースの横転を防ぐことができるという作用効果が得られるものである。
【００１３】
本発明の請求項７に記載の発明は、特に、ダミー端子を板状に構成し、かつこのダミー端子の側面が上方を向くようにしたもので、この構成によれば、幅のある板により、引き出された板の側面と平行な方向の振動に対してより強くすることができるという作用効果が得られるものである。
【発明の効果】
【００１４】
以上のように本発明の抵抗器は、ダミー端子が引き出される第３の切欠部の底面と素体の先端部が引き出される第１、第２の切欠部の底面とが面一とならないように構成しているため、実装基板に実装されたとき抵抗器は素体の先端部とダミー端子の他端部の３点で支持されることになり、さらに、これら３点を結ぶ線は直線状とならず、これにより、素体の先端部が引き出された２点を結ぶ直線と平行な方向の振動だけでなく、垂直な方向の振動にも強くなるため、ケースの横転を防ぐことができ、これにより、実装基板との接続安定性を向上させることができるという優れた効果を奏するものである。
【発明を実施するための最良の形態】
【００１５】
（実施の形態１）
以下、実施の形態１を用いて、本発明の特に請求項１，２，６，７に記載の発明について説明する。
【００１６】
図１は本発明の実施の形態１における抵抗器の斜視図、図２は同抵抗器の一部切欠上面図、図３は同抵抗器に使用されるケースの上面図、図４は図３のＡ−Ａ線断面図、図５は図３のＢ−Ｂ線断面図である。
【００１７】
本発明の実施の形態１における抵抗器は、図１〜図５に示すように、上面１１ａが開口し、かつ第１〜第４の側壁１１ｂ〜１１ｅを有する略直方体のケース１１と、前記第１の側壁１１ｂに設けられた第１〜第３の切欠部１２ａ〜１２ｃと、前記ケース１１に充填された絶縁材１３と、この絶縁材１３内に埋設された抵抗体１４と、この抵抗体１４の両端部に接続された一対の端子１５と、前記抵抗体１４および一対の端子１５からなり、かつその先端部１６ａが前記第１、第２の切欠部１２ａ，１２ｂから前記ケース１１の外側に引き出された素体１６とを備えているものである。
【００１８】
また、前記一対の端子１５とは別個に、一端部１７ａが前記絶縁材１３に埋設されるとともに他端部１７ｂが前記第３の切欠部１２ｃから前記ケース１１の外側に引き出され、かつ前記素体１６と電気的に接続されないダミー端子１７を設け、さらにこのダミー端子１７の他端部１７ｂが引き出される第３の切欠部１２ｃの底面と前記素体１６を構成する一対の端子１５の先端部１６ａが引き出される第１、第２の切欠部１２ａ，１２ｂの底面とが面一とならないように構成しているものである。
【００１９】
上記構成において、前記ケース１１は、アルミナ、ステアタイト等のセラミックで略直方体に構成されているもので、その上面１１ａは開口し、そして第１の側壁１１ｂと、この第１の側壁１１ｂの両端部に位置する第２、第３の側壁１１ｃ，１１ｄと、前記第１の側壁１１ｂと対向し、かつその両端部に第２、第３の側壁１１ｃ，１１ｄが位置する第４の側壁１１ｅとを有し、さらにこれら第１〜第４の側壁１１ｂ〜１１ｅと底面１１ｆに囲まれた部分の内部に絶縁材１３と抵抗体１４が収容されるようになっている。
【００２０】
また、前記ケース１１の底面１１ｆには上方に突出する突出部１８が設けられ、かつこの突出部１８は前記ケース１１と一体的に形成されている。そしてまた、突出部１８は、第４の側壁１１ｅの中央部に接するとともに第４の側壁１１ｅから第１の側壁１１ｂに向かって延出するように設けられている。なお、前記突出部１８の高さは、図４に示すように、ケース１１の深さより低くなっている。また、突出部１８の上面には穴１９が形成されているもので、この穴１９はケース１１を貫通しないようになっている。
【００２１】
さらに、前記第１〜第３の切欠部１２ａ〜１２ｃは、前記ケース１１の第１の側壁１１ｂに形成され、かつこの第１〜第３の切欠部１２ａ〜１２ｃは、第１の側壁１１ｂに上面から切り込まれた有底の溝で構成されているものである。そして、前記素体１６を構成する一対の端子１５の先端部１６ａとダミー端子１７は、それぞれこの第１〜第３の切欠部１２ａ〜１２ｃの底面に載置され、かつこの第１〜第３の切欠部１２ａ〜１２ｃを通ってケース１１の内部から外部に引き出されている。
【００２２】
また、図６に示すように、素体１６の先端部１６ａが引き出される第１、第２の切欠部１２ａ，１２ｂの間に、ダミー端子１７が引き出される第３の切欠部１２ｃが位置しており、そして第３の切欠部１２ｃの底面は第１、第２の切欠部１２ａ，１２ｂの底面より上方に位置しているものである。
【００２３】
そしてまた、前記絶縁材１３は、ケース１１に充填して硬化させるセメント等により構成されるもので、抵抗体１４を保護したり、または抵抗体１４で発生した熱を放熱させたりするために設けられているものである。
【００２４】
さらに、前記抵抗体１４は、銅、銅ニッケルまたはニッケルクロム等の合金により帯状に構成され、かつ前記絶縁材１３内に埋設されているものである。
【００２５】
さらにまた、前記一対の端子１５は、その形状が帯状または断面が円形の線状に構成されているもので、前記抵抗体１４より熱伝導率が高い金属材料で構成され、かつ前記ケース１１内においてこの抵抗体１４の両端部と接続されるものである。そして、この一対の端子１５と抵抗体１４とで素体１６が構成される。また、この素体１６の先端部１６ａは前記ケース１１に設けた第１、第２の切欠部１２ａ，１２ｂからケース１１の外部に引き出されている。そして、前記素体１６は、ケース１１内において略Ｍ字状に折り曲げられているものである。
【００２６】
また、前記ダミー端子１７は、断面が円形状の金属で構成されているもので、その一端部１７ａは絶縁材１３に埋設され、かつ他端部１７ｂは第３の切欠部１２ｃからケース１１の外側に引き出されるように構成されている。そして、ダミー端子１７はその一端部１７ａがＬ字状に折り曲げられ、かつこの一端部１７ａは突出部１８の上面に形成された穴１９に挿入されている。また、ダミー端子１７は素体１６とは電気的に接続されておらず、単独で構成されている。すなわち、素体１６は１つである一方、抵抗器としては３端子となっている。なお、ダミー端子１７は一端部１７ａをＬ字状に折り曲げるのではなく、幅を広くするようにしてもよい。また、ダミー端子１７は素体１６より上方に位置し、そして、このダミー端子１７と素体１６が交差する部分には、ダミー端子１７と素体１６との間に位置して絶縁材（図示せず）が設けられるものである。
【００２７】
なお、前記ダミー端子１７は硬化後の絶縁材１３に埋設されるだけでも、十分固定され得るため、必ずしも一端部１７ａを穴１９に挿入する必要はないが、本発明の実施の形態１のように一端部１７ａを穴１９に挿入することにより、ダミー端子１７の引っ張り強度をより強くすることができるため、ダミー端子１７の抜け不良を低減させることができるものである。ここで、図７にダミー端子１７の一端部１７ａが穴１９に挿入されている状態を示す。また、ダミー端子１７、素体１６の先端部１６ａに幅広部を形成すれば、実装基板から抜けにくくなるため、ケース１１を実装基板により強固に固定することができる。
【００２８】
さらに、前記ケース１１の底面１１ｆには上方に突出する他の突出部１８ａが設けられているもので、この他の突出部１８ａは上面視Ｕ字状にケース１１と一体的に形成され、かつ第１の側壁１１ｂの中央部に接するとともに第１の側壁１１ｂから第４の側壁１１ｅに向かって延出するように設けられている。この場合、他の突出部１８ａは、図２、図３に示すように、突出部１８を挟むように２つに分かれているため、略Ｍ字状の素体１６は前記突出部１８と他の突出部１８ａが形成されていない部分である溝に収められることになり、これにより、素体１６を確実に固定することができる。
【００２９】
次に、本発明の実施の形態１における抵抗器の製造方法について、図１〜図７を参照しながら説明する。
【００３０】
まず、図３に示すように、上面１１ａが開口し、かつ第１の側壁１１ｂと、この第１の側壁１１ｂの両端部に位置する第２、第３の側壁１１ｃ，１１ｄと、前記第１の側壁１１ｂと対向し、かつその両端部に第２、第３の側壁１１ｃ，１１ｄが位置する第４の側壁１１ｅと、底面１１ｆとを有する略直方体のケース１１を用意する。
【００３１】
そしてこのケース１１には、ケース１１の底面１１ｆから上方に突出するように設けられた突出部１８と他の突出部１８ａがケース１１と一体的に形成されている。また、この突出部１８の上面には穴１９が形成されるもので、この突出部１８は第４の側壁１１ｅに接するとともに第４の側壁１１ｅから第１の側壁１１ｂに向かって延出するように設けられ、かつ他の突出部１８ａは、第１の側壁１１ｂに接するとともに第１の側壁１１ｂから第４の側壁１１ｅに向かって延出するように設けられている。そしてまた、他の突出部１８ａは、突出部１８を挟むように２つに分かれている。さらに、前記第１の側壁１１ｂには第１〜第３の切欠部１２ａ〜１２ｃが形成されているものである。なお、第３の切欠部１２ｃの底面は第１、第２の切欠部１２ａ，１２ｂの底面より上方に位置するようになっている。
【００３２】
次に、帯状の抵抗体１４の両端部に、一対の端子１５を溶接等の方法により接合して素体１６を構成し、その後、この素体１６を略Ｍ字状に折り曲げる。
【００３３】
次に、図２に示すように、素体１６をケース１１の上面１１ａの開口部からケース１１内に収容するとともに、素体１６の先端部１６ａを、ケース１１の第１の側壁１１ｂの第１、第２の切欠部１２ａ，１２ｂからケース１１の外部に引き出す。
【００３４】
次に、図２、図７に示すように、一端部１７ａがＬ字状に折り曲げられたダミー端子１７を、他端部１７ｂが第３の切欠部１２ｃからケース１１の外側に引き出されるように形成する。このとき、ダミー端子１７の一端部１７ａは突出部１８の上面に形成された穴１９に挿入する。
【００３５】
最後に、図１に示すように、ケース１１の上面１１ａの開口部からペースト状の絶縁材１３を充填し、そしてこの絶縁材１３を所定温度で硬化させることにより、抵抗器は製造されるものである。
【００３６】
上記したように本発明の実施の形態１における抵抗器においては、ダミー端子１７の他端部１７ｂが引き出された第３の切欠部１２ｃの底面を、一対の端子１５（素体１６の２つの先端部１６ａ）が引き出された第１、第２の切欠部１２ａ，１２ｂの底面より上方に位置させて、第３の切欠部１２ｃの底面と第１、第２の切欠部１２ａ，１２ｂの底面とが同一とならないように構成しているため、実装基板に実装されたとき抵抗器は素体１６の先端部１６ａとダミー端子１７の３点で支持され、さらに、これら３点を結ぶ線は直線状とならず、これにより、素体１６の先端部１６ａが引き出された２点を結ぶ直線と平行な方向の振動だけでなく、垂直な方向の振動にも強くなるため、ケース１１の横転を防ぐことができ、これにより、実装基板との接続安定性を向上させることができるという効果が得られるものである。
【００３７】
図８は本発明の実施の形態１における抵抗器を実装した状態を示す側面図、図９は同裏面図である。なお、図８、図９においては、実装時のはんだは省略している。
【００３８】
図８に示すように、抵抗器を実装基板２１に実装する場合は、ケース１１の第１の側壁１１ｂを下方に向けるとともに、ケース１１における第１の側壁１１ｂの外壁と実装基板２１とを隙間無く密着させ、素体１６の先端部１６ａおよびダミー端子１７の他端部１７ｂを実装基板２１の貫通孔に挿入して固定する。
【００３９】
このような実装を行うことによって、図９に示すように、抵抗器は素体１６の先端部１６ａとダミー端子１７の他端部１７ｂの３点で支持され、さらに、これら３点を結ぶ線は直線状とならないものである。
【００４０】
なお、上記本発明の実施の形態１における抵抗器においては、ダミー端子１７の一端部１７ａを第４の側壁１１ｅの中央部近傍に設けるようにしているが、ダミー端子１７の一端部１７ａは他の位置に設けてもよい。
【００４１】
また、第３の切欠部１２ｃの底面を第１、第２の切欠部１２ａ，１２ｂの底面より上方に位置させるようにしているが、下方に位置させてダミー端子１７が素体１６より下方に位置するようにしてもよいものである。
【００４２】
そしてまた、ダミー端子１７の一端部１７ａはさらに、突出部１８の上面に形成された穴１９に挿入するようにしているが、図１０に示すように、ダミー端子１７の一端部１７ａを折り曲げ、そして、このダミー端子１７の折り曲げた部分を第１の側壁１１ｂの内側に接触させるようにしてもよい。なお、図１０は、説明を簡単にするためにケース１１とダミー端子１７のみを示しているもので、このような構成とすることにより、突出部１８や穴１９を設けることなく容易にケース１１の横転を防ぐことができる。このとき、ダミー端子１７を板状とし、ダミー端子１７の側面（ダミー端子１７の厚み部分）が上方を向くようにすれば、幅のある板により振動の方向に対するダミー端子１７の幅が大きくなるため、引き出された板の側面と平行な方向の振動に対してより強くすることができる。
【００４３】
（実施の形態２）
以下、実施の形態２を用いて、本発明の特に請求項３〜５に記載の発明について説明する。
【００４４】
図１１は本発明の実施の形態２における抵抗器の一部切欠上面図、図１２は図１１のＣ−Ｃ線断面図である。なお、この本発明の実施の形態２においては、上記した本発明の実施の形態１と同様の構成を有するものについては、同一符号を付しており、その説明は省略する。また、図１１、図１２は、ケース１１と絶縁板２２のみを示しているものである。
【００４５】
図１１、図１２において、本発明の実施の形態２が上記した本発明の実施の形態１と相違する点は、素体１６とダミー端子１７との間に略方形状の絶縁板２２を設けた点である。
【００４６】
この略方形状の絶縁板２２はセラミックで構成され、その一部に複数のスリット２３が設けられている。また、突出部１８の穴１９が位置する部分に凸部２４を形成し、この凸部２４と絶縁板２２の上にダミー端子１７が位置するようにしているものである。
【００４７】
上記したように、本発明の実施の形態２においては、素体１６とダミー端子１７との間に絶縁板２２を設けているため、素体１６とダミー端子１７とを確実に絶縁することができるという効果が得られるものである。
【００４８】
また、複数のスリット２３を素体１６の上方に位置する絶縁板２２の一部に設けているため、絶縁板２２が空気を閉じ込めることはなくなり、そして、絶縁材１３をケース１１に充填した際には空気がこの複数のスリット２３を通じて抜け易くなり、その結果、絶縁材１３は素体１６の周囲に回り込むことになるため、抵抗体１４で発生した熱を絶縁材１３に伝導させることができ、これにより、効率よく放熱させることができるものである。
【００４９】
そしてまた、図１２に示すように、突出部１８に凸部２４を設け、かつこの凸部２４に穴１９を形成しているため、絶縁板２２の位置決めが容易になるものである。この場合、絶縁板２２が穴１９を塞ぐようなことはない。なお、凸部２４の段差の寸法は絶縁板２２の厚み寸法と同一にするか、または絶縁板２２の厚み寸法より低くすればよい。
【００５０】
また、他の突出部１８ａに２つの他の凸部２４ａを形成した場合は、凸部２４と他の凸部２４ａとの間に絶縁板２２が配置されることになるため、絶縁板２２の位置決めがより容易に行えるものである。
【産業上の利用可能性】
【００５１】
本発明に係る抵抗器は、実装基板との接続安定性を向上させることができるという効果を有するものであり、特にデジタル機器、ＡＶ機器、情報通信端末、エアコン、冷蔵庫等の各種電子機器に使用される抵抗器等において有用となるものである。
【図面の簡単な説明】
【００５２】
【図１】本発明の実施の形態１における抵抗器の斜視図
【図２】同抵抗器の一部切欠上面図
【図３】同抵抗器に使用されるケースの上面図
【図４】図３のＡ−Ａ線断面図
【図５】図３のＢ−Ｂ線断面図
【図６】同抵抗器の側面図
【図７】同抵抗器におけるダミー端子の一端部が穴に挿入されている状態を示す断面図
【図８】同抵抗器を実装した状態を示す側面図
【図９】同抵抗器を実装した状態を示す裏面図
【図１０】同抵抗器の他の例を示す一部切欠上面図
【図１１】本発明の実施の形態２における抵抗器の一部切欠上面図
【図１２】図１１のＣ−Ｃ線断面図
【図１３】従来の抵抗器の上面図
【符号の説明】
【００５３】
１１  ケース
１１ａ  ケースの上面
１１ｂ  第１の側壁
１１ｆ  ケースの底面
１２ａ  第１の切欠部
１２ｂ  第２の切欠部
１２ｃ  第３の切欠部
１３  絶縁材
１４  抵抗体
１５  一対の端子
１６  素体
１６ａ  素体の先端部
１７  ダミー端子
１７ａ  ダミー端子の一端部
１７ｂ  ダミー端子の他端部
１８  突出部
１９  穴
２２  絶縁板
２３  スリット
２４  凸部
【図１】
2009231306.tif 000003
【図２】
2009231306.tif 000004
【図３】
2009231306.tif 000005
【図４】
2009231306.tif 000006
【図５】
2009231306.tif 000007
【図６】
2009231306.tif 000008
【図７】
2009231306.tif 000009
【図８】
2009231306.tif 000010
【図９】
2009231306.tif 000011
【図１０】
2009231306.tif 000012
【図１１】
2009231306.tif 000013
【図１２】
2009231306.tif 000014
【図１３】
2009231306.tif 000015